(57)【特許請求の範囲】
【請求項１】
搬送上ローラと搬送下ローラからなる搬送ローラと、上搬送ガイド部と下搬送ガイド部からなる搬送ガイド部とを配設して形成される搬送路に沿って用紙を搬送する用紙搬送装置において、下搬送ガイド部が搬送ローラ軸方向に前搬送ガイド部、中搬送ガイド部、後搬送ガイド部の３部分に分割され、搬送下ローラ軸両端の支持部が中搬送ガイド部に取り付けられていることを特徴とする用紙搬送装置。
【請求項２】
該支持部における該搬送下ローラ軸の軸受部が、搬送上下ローラのニップ方向に開口していることを特徴とする請求項１記載の用紙搬送装置。
【請求項３】
該支持部における一端部が、中搬送ガイド部に配設された取り付け板の両端部から垂直に折り曲げられた縦取り付け板に位置した支点に回動自在に取り付けられるとともに、該搬送下ローラ軸両端の各支持部の他端部と前記取り付け板の中間にバネが取り付けられ、バネの押圧力によって搬送下ローラが搬送上ローラに付勢されていることを特徴とする請求項２記載の用紙搬送装置。
【発明の詳細な説明】
【０００１】
【発明が属する技術分野】
本発明は、複写機、プリンター、ファクシミリ、スキャナ等に適用され、原稿や転写紙等の用紙を搬送する用紙搬送装置に関する。
【０００２】
【従来の技術】
従来より複写機等において原稿や転写紙等の用紙を搬送する用紙搬送装置は、上下ローラと上下搬送ガイドが互いに対向配置して形成された搬送面からなる搬送路を有しており、このような搬送路に所定の順序で原稿や用紙を搬送するようになっている。上下のガイドによって原稿や用紙の先端をガイド間に導き搬送上下ローラのニップ間を通過させることによって原稿や用紙を所定の通内を搬送させている。
【０００３】
しかし、搬送下ローラは搬送下ガイドの下部に位置し本体側に取り付けられていることから、原稿搬送路下部のメンテ時において、下ローラ等の部品を清掃、交換する場合には、搬送下ガイドを外した後、機械本体に取り付けられたローラ固定部材を取り出す必要がある。下側ガイド板を外す際に、側版の突起や他の部品が邪魔になって取り外しが難しく作業時間が余分にかかっていた。さらにはローラ固定部材を機械本体から取り外すためにビス類をゆるめるのに手間がかかるとともに構造が複雑になり易い。
【０００４】
【発明が解決しようとする課題】
本発明の目的は、上記事情に鑑み、用紙搬送路下部の清掃、部品交換が簡便にできる用紙搬送装置を提供することにある。
【０００５】
【課題を解決する為の手段】
前記課題を解決するために、請求項１の発明は搬送上ローラと搬送下ローラからなる搬送ローラと、上搬送ガイド部と下搬送ガイド部からなる搬送ガイド部とを配設して形成される搬送路に沿って用紙を搬送する用紙搬送装置において、下搬送ガイド部が搬送ローラ軸方向に前搬送ガイド部、中搬送ガイド部、後搬送ガイド部の３部分に分割され、搬送下ローラ軸両端の支持部が中搬送ガイド部に取り付けられている用紙搬送装置であることを特徴とする。
【０００６】
また、請求項２の発明は該支持部における該搬送下ローラ軸両端の軸受部が、搬送上下ローラのニップ方向に開口していること用紙搬送装置であることを特徴とする。
【０００７】
また請求項３の発明は該支持部における一端部が、中搬送ガイド部に配設された取り付け板の両端部から垂直に折り曲げられた縦取り付け板に位置した支点に回動自在に取り付けられるとともに、該搬送下ローラ軸両端の各支持部の他端部と前記取り付け板の中間にバネが取り付けられ、バネの押圧力によって搬送下ローラが搬送上ローラに付勢されている用紙搬送装置であることを特徴とする。
【０００８】
下搬送ガイド部をローラ軸方向に３分割することにより、中搬送ガイド部の原稿読取装置本体からの取り外しが容易になる。ローラ軸支持部材のローラ軸受の上下ローラニップ側を開口させたことによって、中搬送ガイド板と搬送下ローラを一体的に取り外した後で、搬送下ローラを中搬送ガイド部から取り外すことが容易となり、部品メンテ、交換が容易となった。ローラ軸支持部材一端部と中搬送ガイド部の位置決め用突起に押えバネを引っかけた状態で、中搬送ガイド板と搬送下ローラを一体的に着脱できるのでバネの破損及び紛失が無い。また、中搬送ガイド部に支持部材を取り付けているため保持部材の上部が開口していてもこれらの一体物を本体に取り付ける際にバラバラにならない。中搬送ガイド部の本体からの取り外しが容易になり、中搬送ガイド板と搬送下ローラを一体的に取り外した後で、搬送下ローラを中搬送ガイド部から取り外すことが可能となり、部品メンテ、交換が容易となった。
【０００９】
【発明の実施形態】
図１は、この発明による用紙搬送装置の一実施形態が組み込まれた原稿読取装置を示す図である。以下、この実施形態を詳述するのに先立って原稿読取装置の概要について説明する。なお、本原稿読取装置は図示しない、画像形成装置、給紙部を含む複写機本体の上部に取り付けられる。
【００１０】
この原稿読取装置は、トップページを上向きにしてページ順に原稿トレイ１０に載置される原稿束から、１枚ずつ原稿を取り込んでその画像情報を読み取り、トップページを下向きにしてページ順に排出トレイ８０に排出するものであり、片面にのみ画像情報が形成された片面原稿のみならず、表裏両面に画像情報が形成された両面原稿についても表裏両面の画像情報を読み取るとともに、原稿束のページ順を変えてしまうことなく排出できるものである。なお、この実施形態は、複写機の上部に搭載する場合を例にしているが、同様の構成によって、スキャナー装置やファクシミリ装置等に適用することもできる。
【００１１】
原稿トレイ１０は、画像情報を有する原稿Ｐを積層して載置可能に構成された原稿載置部である。この原稿トレイ１０の底部には、原稿トレイ１０上の原稿Ｐの有無を検出する原稿セットセンサ１１が設けられている。
【００１２】
分離給紙部２０は、原稿トレイ１０上に載置された原稿束から１枚ずつ原稿Ｐを取り込んで第１搬送路３１に給紙するものである。この分離給紙部２０では、原稿トレイ１０の上方に配置された前送りローラ２３が、原稿トレイ１０上の原稿Ｐを搬送上ローラ２１および搬送下ローラ２２に向かって給紙する。そして、搬送上ローラ２１が原稿トレイ１０上の原稿Ｐを送り出すように回転駆動する一方、搬送上ローラ２１に接するように配置された搬送下ローラ２２が、搬送上ローラ２１からの圧力に応じた回転抵抗を生じながら従動回転することによって、原稿トレイ１０上に載置された原稿束をさばき、その最上位置にある１枚の原稿Ｐを分離して第１搬送路３１に給紙するようになっている。２４は、第１搬送路３１に給紙された原稿Ｐの先端部および後端部を検出するフィードセンサである。
【００１３】
第１搬送路３１は分離給紙部２０から原稿反転部６０に至る搬送路である。この第１搬送路３１上には、レジストローラ対５１，５２が設けられており、原稿Ｐの先端揃えを行うようになっている。このレジストローラ５１の下流側は、第１搬送路３１から第５搬送路３５が分岐する第１分岐位置４１となっており、この第１分岐位置４１に設けられた反転分岐レバー４１１によって、この第１分岐位置４１に搬送されてくる原稿Ｐの搬送経路を第１搬送路３１の下流側または第５搬送路３５のいずれかに切り替えることができるようになっている。なお、この第５搬送路３５は片面原稿を搬送する際に用いられる搬送路である。
【００１４】
原稿反転部６０は、第１搬送路３１から搬入される原稿Ｐの搬送方向をスイッチバックさせて第２搬送路３２に排出することによって、搬送路上における原稿Ｐの表裏面（装置外側に向かう面と内側に向かう面）とを反転させるものである。この原稿反転部６０は、正逆両方向に回転駆動可能な反転ローラ６１とこれに接する反転コロ６２を備えており、反転ローラ６１と反転コロ６２間の原稿Ｐを反転ローラ６１の正逆両方向の回転に応じて搬送して、原稿Ｐの搬送方向をスイッチバックさせることができるようになっている。
【００１５】
また、反転コロ６２は、反転コロ接離手段６３によって反転ローラ６１に接離可能となっており、反転コロ６２が反転ローラ６１から離れた状態においては、反転ローラ６１と反転コロ６２間の原稿Ｐが上下に抵抗なく移動しうるフリー状態として、原稿反転部６０から先行原稿を排出しながら同時に次原稿を原稿反転部６０に搬入することが可能となっている。
【００１６】
これら反転ローラ６１と反転コロ６２間の上側には、搬送方向がスイッチバックされる原稿Ｐが一時的に搬入されるスイッチバック路６５が、上記原稿トレイ１０の上側に向かって延びるように設けられている。このスイッチバック路６５は上記分離給紙部２０の上方位置において、本装置本体の外方へ開口する開口部６６を有しており、長手の原稿Ｐのスイッチバックさせるときには、この開口部６６から原稿Ｐの先端部分を一時的に本装置本体の外方に排出するようになっている。
【００１７】
反転ローラ６１、反転コロ６２間の下側は、上記第１搬送路３１と第２搬送路３２とが分岐する第２分岐位置４２となっている。この分岐位置４２には、第１搬送路３１の出口を狭めるように第２搬送路３２下側の壁面を延ばした突出片４２１が設けられており、この突出片４２１によって、この分岐位置４２に第１搬送路３１から送られてきた原稿Ｐを原稿反転部６０へ搬送する一方、原稿反転部６０から搬出されてきた原稿Ｐは、第２搬送路３２に搬送するようになっている。
【００１８】
第２搬送路３２は原稿反転部６０から原稿読取り部７０に至る搬送路である。この第２搬送路３２上には、上搬送ローラ対５３，５４と下搬送ローラ対５５，５６が設けられており、第２搬送路３２上の原稿Ｐを、原稿読取り部７０の読取り位置７１に搬送されるようになっている。なお、片面原稿を搬送するための上記第５搬送路３５は、上搬送ローラ対５３，５４の上流側からこの第２搬送路３２に合流している。
【００１９】
また、下搬送ローラ５５の上流位置にはタイミングセンサ７２が設けられており、原稿Ｐの先端部および後端部を検出して、原稿読取り部７０における原稿読取りのタイミングに供するようになっている。
【００２０】
原稿読取り部７０は、複写機本体９０上面に設けられたコンタクトガラス７３とその上方に配置された原稿ガイド７４との間を読取り位置７１として、この読取り位置７１を搬送される原稿Ｐの下側面の画像情報を、いわゆる流し読み方式によって読み取るものである。この原稿読取り部７０は、図示しない複写機本体９０内に、原稿Ｐに光を照射する露光ランプ、原稿Ｐからの反射光を導光するレンズ系や反射ミラー、さらに導光された反射光から画像情報を検出する画像読取機構部等を備えている。
【００２１】
第３搬送路３３は、原稿読取り部７０から排出トレイ８０に至る搬送路である。この第３搬送路３３には中間ローラ対５７，５８が設けられており、原稿Ｐをさらに下流側に搬送するようになっている。この中間ローラ対５７，５８の下流側は、第３搬送路３３から第４搬送路３４が分岐する第３分岐位置４３となっており、この第３分岐位置４３に設けられた排出分岐レバー４３１によって、原稿Ｐの搬送経路をこの第３分岐位置４３より下流側の第３搬送路３３または第４搬送路３４のいずれかに切り替えることができるようになっている。なお、この第４搬送路３４は、両面原稿の読取りを行っている場合に、最初の面の読取りを終えた原稿に対してさらに残りの面の読取りを行うべく、原稿Ｐを第１搬送路３１のレジストローラ対５１，５２上流側に戻すための搬送路である。両面原稿はこの第４搬送路３４を搬送されて再び原稿反転部６０において搬送方向がスイッチバックされることでその表裏面が反転されたのち、残りの面の画像情報が読みとられ第３搬送路３３に戻ってくる。
【００２２】
排出トレイ８０は、画像情報の読取りを終えた原稿Ｐが排出される原稿排出部である。この排出トレイ８０は、上記原稿トレイ１０の下側に配置されており、第３搬送経路３３の出口設けられた排出ローラ対８１，８２から、片面の読取りを終えた片面原稿および両面の読取りを終えた両面原稿が原稿トレイ１０上のページ順どおりに排出されるようになっている。
【００２３】
次に、図２〜図７を参照しながら、本発明を詳細に説明する。図２は原稿トレイから搬送ガイド部への給紙状態を示す。原稿トレイ１０上の原稿は給紙リフト板１０１の上昇に伴い前送りローラ２３へ押圧され、最上面の1枚が搬送ローラ対１０２のニップに向かって給紙される。図３は、メンテナンス時の中搬送ガイド部の取り外し方法を図示したものである。リフト板１０１を外して後、上ガイド板１０４と前送りローラ２３軸受部を前後の側板（図示せず）から緩めて可動状態とし、搬送上ローラ２１の軸心を支点に矢印方向に開けて原稿トレイ側の開口部を広げ、ガイド下ステー１０７の突設片１０７ａに固定されたビス１０７ｂと１０７ｃと１０７ｄを外し中搬送ガイド部１０８を取り出せるようになっている。図４は前搬送ガイド部１ａ、中搬送ガイド部１ｂ、後搬送ガイド部１ｃからなる下搬送部全体の平面図及び、搬送下ローラ部１ｄを取り出した状態を示す。
【００２４】
図３，図５，図６，図７によって中搬送ガイド部の構成を詳述する。搬送下ローラ２２は中心部から外面にかけて中心軸１０９、トルクリミッター軸１１０、円筒ゴム層１１１が形成されている。中搬送ガイド板１１２は１１２ａ、１１２ｂ、１１２ｃ、１１２ｄの４面に折れ曲がっており、その内１１２ｄの裏面に固定された取り付け板１０６に搬送下ローラ支持部が取り付けられている。取り付け板１０６の両端部は、垂直に折れ曲がった縦取り付け板１１３，１１４を有しておりまた、取り付け板１０６には押圧バネ１１５の位置決め用突起１１７ａ、１１７ｂが突出している。縦取り付け板１１３，１１４には搬送下ローラ支持部材取り付け用の軸ピン１１８、１１９がローラ軸方向に沿って、互いに対向して取り付けられている。搬送下ローラ支持部材１２５、１２６は中央部にローラ軸受部１２０、１２１を、搬送方向上流側部位に、ローラ押圧バネ１１５、１１６位置決め用の突起１２２、１２３を、搬送方向下流側部位に軸ピン１１８、１１９に嵌合するピン軸受１２７、１２８を有している。また搬送ローラ支持部材１２５は取り付け板１０６に向かって押圧バネ伸縮調節片１２９を有している。搬送下ローラ支持部材１２５，１２６は、軸ピン１１８，１１９を中心に回動可能であって、押圧バネ１１５，１１６によって上下搬送ローラ対のニップ方向に付勢されている。押圧バネ伸縮調節片１２９は突設片１３２を有しており、取り付け板１０６から突設した規制片１３１と取り付け板の間でしか移動できないので中ガイド部全体を取り外して搬送上ローラからの押圧が解除された状態でも、バネ自身は伸び切らず一定の押圧を維持するので、支持部材１２５と押圧バネ１１５が容易には外れないようになっている。取り付け板１０６は図示するように中搬送ガイド板１１２ｄに取り付けられ、上下搬送ローラ対の当接によって搬送ニップを形成する。搬送下ローラ軸１０９の両端は軸受１２０、１２１にて固定され、軸自身は自転できない。しかし搬送下ローラ２２に摺接するように配置された搬送上ローラ２１が原稿トレイ１０上の原稿Ｐを送り出すように回転駆動時に発生する摩擦抵抗によって、トルクリミッタ軸１１０の回転抵抗によって円筒ゴム層１１１は従動回転できるようになっている。更に、ローラ支持部材のローラ軸受１２０、１２１はローラニップ側に開口部を設けているので、中搬送ガイド部を機械本体から取り外した状態では搬送下ローラを容易に取り外し可能であって、また機械本体に装着され上下搬送ローラが当接した状態では、搬送下ローラ軸１０９が、軸受下方に付勢され搬送上ローラ２１が障害となって軸受開口部から軸が外れる恐れも無い。
【００２５】
【発明の効果】
中搬送ガイド部の原稿読取装置本体からの取り外しが容易になり、中搬送ガイド板と搬送下ローラを一体的に取り外した後で、搬送下ローラを中搬送ガイド板から取り外すことが容易となり、部品メンテ、交換が容易となった。ローラ軸支持部材一端部と中搬送ガイド部の位置決め用突起に押えバネを引っかけた状態で、中搬送ガイド部と搬送下ローラを一体的に着脱できるのでバネの破損及び紛失が無い。また、中搬送ガイド部に支持部材を取り付けているため保持部材の上部が開口していてもこれらの一体物を本体に取り付ける際にバラバラにならない。最後に、図８に下搬送ガイド板が一体化された従来技術を示す。
【図面の簡単な説明】
【図１】 本発明の用紙搬送装置の１実施形態を示す概略図である。
【図２】  図２は原稿トレイから搬送ガイド部への給紙状態を示す。
【図３】  図３は、メンテナンス時の中搬送ガイド部の取り外し方法を図示したものである。
【図４】  図４は下搬送部全体の平面図である。
【図５】  図５は中搬送ガイド部から中搬送ガイド板を除いた部分の平面図であって、搬送下ローラの支持構造を示す。
【図６】  図６は中搬送ガイド部から中搬送ガイド板、縦取り付け板を除いた部分の左側面図であって、搬送下ローラの支持構造を示す。
【図７】  図７は中搬送ガイド部から中搬送ガイド板を除いた部分の正面図である。
【図８】 図８下搬送ガイド板が一体化された従来技術を示す。
【符号の説明】
１０  原稿トレイ
１１  原稿セットセンサ
２０  分離給紙部
２１  搬送上ローラ
２２  搬送下ローラ
２３  前送りローラ
２４  フィードセンサ
１０１  リフト板
１０２  搬送ローラ対
１０４  上ガイド板
１０６  取り付け板
１０７  ガイド下ステー
１０７ａ  突設片
１０８  中搬送ガイド部
１０９  中心軸（搬送下ローラ軸）
１１０  トルクリミッター軸
１１１  円筒ゴム層
１１２  中搬送ガイド板
１１３  縦取り付け板（左）
１１４  縦取り付け板（右）
１１５  押圧バネ（左）
１１６  押圧バネ（右）
１１８  軸ピン（左）
１１９  軸ピン（右）
１２０  ローラ軸受部（左）
１２１  ローラ軸受部（右）
【図１】
0003638496.tif 000002
【図２】
0003638496.tif 000003
【図３】
0003638496.tif 000004
【図４】
0003638496.tif 000005
【図５】
0003638496.tif 000006
【図６】
0003638496.tif 000007
【図７】
0003638496.tif 000008
【図８】
0003638496.tif 000009